(57)【要約】【課題】保冷室内等に設置すると、少ないエネルギー量で長期間の冷蔵・冷凍が可能な通風箱、長期間の冷蔵・冷凍が可能な冷蔵庫と、これら通風箱と冷蔵庫で用いられる通風板を提供する。【解決手段】黒曜石パーライトの集合物に少なくとも接着剤を混ぜ合わせた混合物に圧力を加えて板状に固め、前記黒曜石パーライト間にできる隙間によって形成される通孔であって表面から裏面に少なくとも通じる複数の通孔が維持される範囲内で押し固めた通風板(３)を少なくとも一部に組み合わせて箱状に形成した通風箱(１)、冷蔵庫(７)。【選択図】  図１
2016038158.tif 000002
【特許請求の範囲】
【請求項１】
黒曜石パーライトの集合物に少なくとも接着剤を混ぜ合わせた混合物に圧力を加えて板状に固め、前記黒曜石パーライト間にできる隙間によって形成される通孔であって表面から裏面に少なくとも通じる複数の通孔が維持される範囲内で押し固めた通風板を少なくとも一部に組み合わせて箱状に形成したことを特徴とする通風箱。
【請求項２】
請求項１に記載の通風箱において、
前記通風箱に開口部が設けられ、この開口部を介して前記通風箱内に外気を送り込む、または、前記通風箱内の空気を吸い出して外部に排出する給排気手段と、
前記通風箱内に設置され、前記給排気手段が給排気する空気を前記開口部から前記通風箱内の所定位置まで導く導風手段と
を備え、
前記給排気手段は、前記導風手段を介して前記通風箱に対して空気を給排気することを特徴とする通風箱。
【請求項３】
請求項１〜２のいずれか１項に記載の通風箱において、
一端を、当該通風箱内で溶けた氷によって発生した水に浸け、他端を、当該通風箱外に位置するように設置し、毛細管現象により前記一端から前記他端に水を吸い上げる吸上部材を備えることを特徴とする通風箱。
【請求項４】
黒曜石パーライトの集合物に少なくとも接着剤を混ぜ合わせた混合物に圧力を加えて板状に固め、前記黒曜石パーライト間にできる隙間によって形成される通孔であって表面から裏面に少なくとも通じる複数の通孔が維持される範囲内で押し固めた通風板を備える冷蔵庫の冷気供給室であって、
前記通風板を介して当該冷気供給室内から冷蔵室内に冷気を供給することを特徴とする冷蔵庫の冷気供給室。
【請求項５】
請求項４に記載の冷気供給室を備えることを特徴とする冷蔵庫。
【請求項６】
請求項１〜５のいずれか１項で用いられる通風板であって、
前記黒曜石パーライトの集合物の体積が、押し固める前の１／２〜１／３の体積となるように押し固めたことを特徴とする通風板。
【請求項７】
請求項６に記載の通風板において、
当該通風板の周囲または前記通孔を通過する空気を浄化する浄化剤が混ぜ合わされまたは取り付けられていることを特徴とする通風板。
【発明の詳細な説明】
【技術分野】
【０００１】
本発明は、長期間の冷蔵・冷凍に用いられる通風箱、長期間の冷蔵・冷凍が可能な冷蔵庫、冷蔵庫の冷気供給室、および、これらに用いられる通風板に関する。
【背景技術】
【０００２】
従来は、保冷室内、保冷庫内、保冷車内の温度を下げるためには、高価なクーラーやヒートポンプを使用し、大量のエネルギーを必要とする。
【発明の概要】
【発明が解決しようとする課題】
【０００３】
しかし、このような大量のエネルギーの消費は、エネルギー効率の観点から好ましいものとは言えない。
そこで本発明は、この問題を解決するため、保冷室内等に設置すると、少ないエネルギー量で長期間の冷蔵・冷凍が可能な通風箱、長期間の冷蔵・冷凍が可能な冷蔵庫と、これら通風箱と冷蔵庫で用いられる通風板を提供することを目的とする。
【課題を解決するための手段】
【０００４】
上記目的を達成するため、本発明の通風箱は、黒曜石パーライトの集合物に少なくとも接着剤を混ぜ合わせた混合物に圧力を加えて板状に固め、黒曜石パーライト間にできる隙間によって形成される通孔であって表面から裏面に少なくとも通じる複数の通孔が維持される範囲内で押し固めた通風板を少なくとも一部に組み合わせて箱状に形成したことを特徴とする。
【０００５】
この通風箱は、保温性に優れた黒曜石パーライトを押し固めた通風板を用いて形成されているので、内部に氷やドライアイスを収納しても短時間では溶けず、長い時間をかけて冷気を出しながらゆっくりと溶ける。
【０００６】
一方、この通風箱は、通孔を有する通風板を備え、しかも、通孔は、押し固められてできた細い通孔なので、氷やドライアイスから発せられる冷気を、この通孔を介して通風箱内から外部に徐々に排出することができる。
【０００７】
したがって、本発明の通風箱に冷気を発する物を収納すると、通風箱から冷気を長時間出し続けることができる。
そのため、この通風箱を保冷室内等に設置すれば、少ないエネルギー量で長期間の冷蔵・冷凍を行うことができる。
【０００８】
また、本発明の通風箱に熱気を発する物（例えば、焼いた石、蓄熱レンガ等）を収納すると、通風箱から熱気を長時間出し続けることができる。
そのため、この通風箱を温室内等に設置すれば、少ないエネルギー量で長期間の暖房等を行うことができる。
【０００９】
なお、本発明の通風箱を形成する通風板は、黒曜石パーライトを混ぜ合わせた混合物で形成されているので、組み合わせるときに継ぎ目の部分で黒曜石パーライト同士が絡み合って、確実に閉じられる。
【００１０】
また、本発明の通風箱内に氷を入れる場合、箱の内部に、溶けた氷水を受ける受皿を設けてもよい。またこの受皿で受けた水を外部に排出する排水具を備えるようにしてもよい。
【００１１】
また、接着剤としては、水ガラスなど、どのようなものでもよい。
次に、本発明の通風箱は、通風箱に開口部が設けられ、この開口部を介して通風箱内に外気を送り込む、または、通風箱内の空気を吸い出して外部に排出する給排気手段と、通風箱内に設置され、給排気手段が給排気する空気を開口部から通風箱内の所定位置まで導く導風手段とを備え、給排気手段は、導風手段を介して通風箱に対して空気を給排気するようにしてもよい。
【００１２】
この通風箱は、ファン等の給排気手段を用いることで、通風箱内の冷気または熱気を通風板を介して外部に排出することができ、その逆に外気を通風箱内に給気することもできる。
【００１３】
また、この通風箱は、導風手段により開口部から離れた位置で外部空間と通風箱内とを連通させているので、通風箱内は外気の影響を受けにくい状態で給排気が行われる。
そのため、冷気または熱気を発するものは、外気の影響を受けにくい状態で、冷気または熱気を発するので、長期間、冷気または熱気を発する。
【００１４】
したがって、本発明の通風箱を用いると、冷気または熱気の給排速度（供給速度、排出速度）を上げつつ、長期間にわたって冷気または熱気を出すことができる。
次に、本発明の通風箱は、一端を、通風箱内で溶けた氷によって発生した水に浸け、他端を、通風箱外に位置するように設置し、毛細管現象により一端から他端に水を吸い上げる吸上部材を備えるようにしてもよい。
【００１５】
このようにすると、通風箱内で溶けた水を通風箱の外に導いて気化させることで、通風板を介して通風箱の外部に排出される冷気に加え、溶けた水をも利用して通風箱の外部を冷やすことができる。
【００１６】
次に、本発明の冷蔵庫の冷気供給室は、黒曜石パーライトの集合物に少なくとも接着剤を混ぜ合わせた混合物に圧力を加えて板状に固め、黒曜石パーライト間にできる隙間によって形成される通孔であって表面から裏面に少なくとも通じる複数の通孔が維持される範囲内で押し固めた通風板を備える冷蔵庫(７)の冷気供給室(８０)であって、通風板を介して冷気供給室内から冷蔵室(７０)内に冷気を供給する。
【００１７】
これによると、冷気供給室内に氷等を入れると通風板から冷気が出るので、この冷気によって冷蔵庫内を冷やすことができる。
次に、黒曜石パーライトの集合物の体積は、押し固める前の１／２〜１／３の体積となるように押し固めるとよい。
【００１８】
このようにすると、上記通風箱や上記冷気供給室用の通風板として最適な通風板を製造することができる。
次に、通風板は、通風板の周囲または通孔を通過する空気を浄化する浄化剤が混ぜ合わされまたは取り付けられているとよい。
【００１９】
浄化剤としては、例えば、大矢石、ゼオライト、炭、銅イオン、銀イオンなどが挙げられ、菌、ニオイ、ガス、二酸化炭素、などを殺菌、分解、吸着するものなどを用いるとよい。
【００２０】
このようにすると、この発明の通風板を通過する空気に対象物が触れても対象物が劣化することはない。
例えば、冷気が通風板を通過し、この冷気で対象物を冷却する場合、対象物の劣化を防止しながら冷却することができる。
【００２１】
具体的には、対象物が食品であった場合、空気中に含まれる雑菌が含まれる場合でも、それらの雑菌の多くが死滅した冷気が食品に当たることとなるので、雑菌によって食品が傷むことを防止できる。また、対象物の劣化を防止し、菌・カビを殺すこともできる。
【００２２】
因みに、上記各手段等の括弧内の符号は、後述する実施形態に記載の具体的手段等との対応関係を示す一例であり、本発明は上記各手段等の括弧内の符号に示された具体的手段等に限定されるものではない。
【図面の簡単な説明】
【００２３】
【図１】本実施形態の通風箱の分解斜視図で、透過図で示している。
【図２】図２（Ａ）は、本実施形態の通風箱の断面図で、図１中、一点鎖線で示した部分を通る切断面を示しており、筐体部についてはＡ−Ａ’断面、蓋部についてはＢ−Ｂ’断面で示している。図２（Ｂ）は、本実施形態の通風箱１に組み込まれている水抜具の正面図である。尚、図２（Ｂ）では、符号１６ｂの同じ符号を付すべき構成については、図面の見栄え上の理由から一部についてのみ符号を付している。
【図３】保冷車の保冷室内に、本実施形態の通風箱を設置した様子を示す模式図で、保冷車の保冷室については保冷室を切断した断面図で示している。
【図４】図４（Ａ）は、第２実施形態の通風箱の断面図で、筐体部１０の底部の中心部分を通る断面で示している。図４（Ｂ）は、皿部の斜視図である。
【図５】第３実施形態の通風箱の断面図で、図２（Ａ）の断面に相当する断面で通風箱１を切断した断面で示している。
【図６】第４実施形態の冷蔵庫の断面図である。
【発明を実施するための形態】
【００２４】
以下に本発明の実施形態を図面と共に説明する。
（第１実施形態）
第１実施形態の通風箱１は、図１に示すように、黒曜石パーライトで主に構成される後述する複数の通風板３を組み合わせた箱で、天井部分を蓋部１２とし、この蓋部１２を、筐体部１０に対し着脱可能に構成したものである。
【００２５】
蓋部１２の底面には、筐体部１０の内部空間１０ａに嵌り込む大きさの突出部１２ａが設けられており、この突出部１２ａを筐体部１０に嵌め込むことにより、蓋部１２が筐体部１０に固定され、蓋部１２が筐体部１０の上方に開口している内部空間１０ａを閉じる。この突出部１２ａも通風板３で構成されている。
【００２６】
本実施形態の通風箱１は、上述した通風板３を用いて構成されているため、筐体部１０を構成する各通風板３は、組み合わせられるときに黒曜石パーライトの表面が絡み合って、継ぎ目部分が確実に閉塞される。
【００２７】
また、蓋部１２を閉じるときも、蓋部１２と筐体部１０とが接する部分が確実に閉塞される。
また、この通風箱１は、筐体部１０の底部分の全体と、周囲側面部分のうち底部分から所定の幅部分を覆うステンレス製の水受皿１４を備えている。
【００２８】
通風箱１は内部空間１０ａ内に氷を入れて用いられる。この氷が溶けた水は、筐体部１０の底部をなす通風板３に浸透して水受皿１４内に溜まる。水受皿１４は、この筐体部１０の底部をなす通風板３に浸透した水が外部に排出されないように受けるものである。
【００２９】
また、図２（Ａ）に示すように、この水受皿１４と、筐体部１０の底部をなす通風板３には、排水具として水抜具１６が差し込まれる。
この水抜具１６は、図２（Ｂ）に示すように、パイプ状に形成されており、筐体部１０に差し込まれる挿入部には、複数の孔１６ａが散点的にあけられている。また、筐体部１０の外に位置する非挿入部には、この水抜具１６の一端に設けられた開口を開閉する弁１６ｂが設けられている。
【００３０】
この水抜具１６を設けることで、筐体部１０内で氷が溶け、筐体部１０の底部をなす通風板３を浸透して水抜具１６に達し、孔１６ａを介して水抜具１６内に侵入した水を外部に排出できる。本実施形態では、弁１６ｂを備える水抜具１６を用いることで、この弁１６ｂを開閉して、必要なタイミングに筐体部１０内で氷が溶けた水を外部に排出できるように構成した。
【００３１】
次に、通風箱１を構成する通風板３について説明する。
この通風板３は、黒曜石パーライトの集合体に水ガラスを混ぜ合わせた混合物に圧力を加えて板状に押し固めたものであり、体積が押し固める前の１／２〜２／３となるように押し固めたものである。
【００３２】
このように押し固めると、各黒曜石パーライトが互いに絡み合うとともに水ガラスによって互いに接着され、さらに、黒曜石パーライト間にできる隙間によって形成される通孔であって板面のうち表面から裏面に少なくとも通じる複数の通孔が維持される。
【００３３】
そのため、通風板３は、所定の通気性が保たれるとともに、各黒曜石パーライトの独立気泡は残るので、高い保温性を有することとなる。
黒曜石パーライトは、黒曜石を所定温度で焼成することにより形成されるものだが、この焼成の際、黒曜石内に含まれる水分（以下、結晶水と呼ぶ）が真珠岩等他のパーライトを構成するものに比べ少ないため、この結晶水が水蒸気となって膨張しても暴発せず、それぞれが独立した小部屋を形成する。このような構造を独立気泡構造と呼ぶ。
【００３４】
黒曜石パーライトは、この独立気泡構造を有するため、他のパーライトよりも保温性に優れている。
以上のように構成された通風箱１を用いると以下のような作用効果がある。
【００３５】
この通風箱１は、保温性に優れる通風板３を用いて形成されているので、内部に氷を収納しても短時間では溶けず、氷は長い時間をかけて冷気を出しながらゆっくりと溶ける。
一方、この通風箱１は、複数の通孔によって通気性を有する通風板３で構成され、しかも、各通孔は、押し固められてできた細い孔なので、氷から発せられる冷気を、通孔を介して通風箱１内から外部に徐々に排出することができる。
【００３６】
したがって、本実施形態の通風箱１に氷を収納すると、冷気を長時間出し続けることができる。
このように、本実施形態の通風箱１は冷気を長時間出し続けることができるので、図３に示すように、本実施形態の通風箱１を保冷車の保冷室内に搭載すると、保冷車の保冷室内を長時間にわたって冷やすことができる。
【００３７】
従来は、この保冷車をはじめ保冷室内、保冷室内を長期間、保冷、冷凍するためには、クーラーやヒートポンプ等の高価な設備を設置し、大量の化石燃料や電気を消費せねばならなかったが、本実施形態の通風箱１を用いれば、氷を入れておくだけで長期間、保冷、冷凍に必要な冷気を出すことができるので、保冷、冷凍のために消費するエネルギー量を大幅に削減することができることはもちろん、高価な設備も不要となる。
【００３８】
（第２実施形態）
次に、第２実施形態の通風箱１について説明する。
尚、この第２実施形態では、第１実施形態と異なる点についてのみ説明し、同一構成については同一符号を用いて説明する。
【００３９】
本実施形態の通風箱１は、図４に示すように、第１実施形態と異なり、水受皿１４及び水抜具１６を備えていない。
また、本実施形態の通風箱１は、第１実施形態とは異なり、筐体部１０の底部をなす通風板３に内部空間１０ａが外部に開口した開口部４０が形成されている。この開口部４０は、筐体部１０の底部をなす通風板３の中央に設けられている。
【００４０】
そして、この開口部４０内には、ファン４１が設置されている。このファン４１は、開口部４０を介して外気を通風箱１内に送り込む、または、通風箱１内の空気を吸い出して外部に排出する。
【００４１】
また、本実施形態の通風箱１は、筐体部１０の内部空間１０ａ内に収納することができる収納具４５を備えている。
この収納具４５は、内部空間１０ａの底部とほぼ同じ大きさの底面を有し、内部空間１０ａよりも浅い氷収納空間４６ａを底面上に形成する側面を有する皿部４６と、この皿部４６の中央に立設された導風管４７とを備えている。
【００４２】
皿部４６の中央には開口４６ａが設けられ、この開口４６ａと導風管４７とが連通するように、導風管４７は皿部４６に固定されている。
この収納具４５を通風箱１の内部空間１０ａ内に収納すると、開口４６ａ及び導風管４７は、開口部４０とも連通して、内部空間１０ａと外部空間とを連通する。
【００４３】
また、収納具４５には、図４（Ｂ）に示すように、取手４８が設けられており、この取手４８を用いて収納具４５を、筐体部１０の内部空間１０ａに対し出し入れすることができる。
【００４４】
次に、本実施形態の通風箱１は、台座部５０を備えており、この台座部５０は、通風箱１をいずれかの場所に置くとき、筐体部１０が地面から所定高さ位置に浮かせて配置することができるように、脚部５１を備えている。
【００４５】
本実施形態の通風箱１は、台座部５０を介して設置することで、開口４６ａから外部に排出される空気あるいは、外部から開口４６ａを介して吸気される空気を、筐体部１０の下部にできた空間５１ａを介して通すことができる。
【００４６】
以上のように構成された通風箱１を用いると以下のような作用効果がある。
この通風箱１は、開口部４０から入った空気をファン４１を用いて、内部空間１０ａ内に吹き入れることで、冷気または熱気を通風板３を介して外部に排出することができ、ファン４１を用いて通風板３を介して内部空間１０ａ内に吸引した空気を開口部４０から排出することもできる。
【００４７】
また、この通風箱１は、導風管４７により開口部４０から所定距離離れた位置で外部空間と通風箱１内とを連通させているので、外気の影響を受けにくい状態で給排気が行われる。
【００４８】
したがって、本実施形態の通風箱１を用いると、冷気または熱気の排出速度を上げつつ、長期間にわたって冷気または熱気を出すことができる。
例えば冷気の場合、−１℃〜＋１５℃の冷気を約７２時間以上出すことができる。
【００４９】
（第３実施形態）
次に、第３実施形態の通風箱１について説明する。
尚、この第３実施形態では、第１実施形態と異なる点についてのみ説明し、同一構成については同一符号を用いて説明する。
【００５０】
本実施形態の通風箱１は、第１実施形態と異なり、図５に示すように、水に浸けると毛細管現象により吸い上げる素材で形成された吸上布６０を備えている点が異なる。
この吸上布６０は、蓋部１２を貫通して設けられており、一端が、通風箱１内で溶けた氷によって発生した水に浸かる位置に位置し、他端が通風箱１外に位置するように設置されている。
【００５１】
この吸上布６０を備えていると、通風箱１内で溶けた水を外部に導いて気化させることで、通風板３を介して通風箱１の外部に排出される冷気に加え、溶けた水をも利用して通風箱１の外部を冷やすことができる。
【００５２】
（第４実施形態）
次に、第４実施形態の冷蔵庫について説明する。
本実施形態の冷蔵庫７は、図６に示すように、冷蔵室部７０の上部に冷気供給室部８０が重ねられた直方体形状の冷蔵庫である。
【００５３】
この冷蔵庫７を構成する冷蔵室部７０は、上方に向かって開口した箱形に形成されており、ステンレス製の中空状の枠７０ａの中に黒曜石パーライトを押し固めることによって形成された断熱層７０ｂを有する部材で形成されている。
【００５４】
そして、冷蔵室部７０の内部空間７１のうち、底面から所定距離上方の位置には、サナ７２が設置されている。
また、冷蔵室部７０は、このサナ７２と冷蔵室部７０の底面との間の空間７１ａで一端が開口し、冷蔵室部７０の外側で他端が開口するように、冷蔵室部７０の側面を貫通し、コック７３ａをひねると、空間７１ａ内に溜まった水を抜くことができる水抜具７３が設けられている。
【００５５】
また、冷蔵室部７０の内部空間のうち、開口から所定距離下がったところの内部側面に、この内部側面から内側に向かって所定距離突出した支持部を有する棚部材７４が周設されている。
【００５６】
次に、冷蔵庫７を構成する冷気供給室部８０は、円筒形状に形成された周囲側面部８１と、上述の実施形態で用いられた通風板３を備える底面部８２とからなる。
周囲側面部８１は、ステンレス製の中空状の枠８１ａの中に黒曜石パーライトを押し固めることによって形成された断熱層８１ｂを有する部材で形成されている。
【００５７】
底面部８２は、中央に通風板３を嵌め込む孔部８２ｂが形成され、その孔部の縁から外方に向かってツバ８２ｃが形成された形状に形成された椀状部８２ａを備えている。この椀状部８２ａはパンチングメタルで構成されている。
【００５８】
周囲側面部８１と底面部８２とは、椀状部８２ａのツバ上に周囲側面部８１が重なり、その状態で固定されている。
そして、底面部８２の通風板３と、周囲側面部８１とで囲まれた空間によって、上方に向かって開口した内部空間８０ａを形成する。
【００５９】
この冷気供給室部８０は、冷蔵室部７０に対して着脱可能に構成されており、冷蔵室部７０に重ねるとき、底面部８２の椀状部８２ａの孔部を形成する部分が冷蔵室部７０の内部空間７１内に嵌挿される。
【００６０】
そして、このように嵌挿されると、椀状部８２ａのツバ８２ｃが、冷蔵室部７０の周囲側面の厚みによって上部に形成される上面に当たって、冷蔵室部７０の周囲側面と冷気供給室部８０の周囲側面部８１との間に挟まれる。
【００６１】
次に、この冷蔵庫７は、蓋部９０を備えており、この蓋部９０は、底面に冷気供給室部８０の内部空間に嵌る突出部９１が設けられた形状に形成されており、冷蔵室部７０と同様に、ステンレス製の中空状の枠９０ａの中に黒曜石パーライトを押し固めることによって形成された断熱層９０ｂを有する部材で、上記のような形状に形成されている。
【００６２】
次に、本実施形態の冷蔵庫７を用いて冷蔵室部７０の内部空間７１内に収納されたものの冷蔵を行う方法について説明する。
本実施形態の冷蔵庫７ではまず、冷蔵する物を冷蔵室部７０内に収納するため、冷気供給室部８０を冷蔵室部７０から外す。そして、冷蔵室部７０内に冷蔵するものを入れ、一方、蓋部９０を冷気供給室部８０から外して、冷気供給室部８０の内部に氷やドライアイスを入れる。
【００６３】
そして、蓋部９０を閉じて、さらに冷気供給室部８０を冷蔵室部７０に重ねると、冷気供給室部８０内で生じた冷気が通風板３および椀状部８２ａを介して冷蔵室部７０内に入る。
【００６４】
すると、この冷蔵室部７０内に入った冷気が、冷蔵室部７０内に収納された物を冷やす。
このとき、冷蔵室部７０、冷気供給室部８０、蓋部９０は、断熱性能が高い黒曜石パーライトで形成される断熱層を有しているので、冷蔵室部７０内の温度を長時間低く保つことができる。
【００６５】
また、冷気供給室部８０と冷蔵室部７０とは通風板３で断熱されているので、冷気供給室部８０内は、冷蔵室部７０に温度が高い物を入れても、その物の熱の影響を受けにくい状態となっている。
【００６６】
その一方で、冷気供給室部８０からは通風板３を介して冷蔵室部７０内に冷気が供給されるので、冷蔵室部７０内に収納されたものを確実に冷蔵できるだけでなく、長期間冷蔵することができる。
【００６７】
［他の実施形態］
以上、実施形態について説明したが、特許請求の範囲に記載された発明は、上記実施形態に限定されることなく、種々の形態を採り得ることは言うまでもない。
【００６８】
（１）上記実施形態で説明した通風箱１及び冷蔵庫７はあくまでも一例であり、これに限定されるものではない。
（２）上記実施形態では、通風板３として黒曜石パーライトに水ガラスを混ぜ合わせた混合物を押し固めたものを例示したが、これに限定されるものではなく、例えば、通風板３の周囲または通孔を通過する空気を浄化する浄化剤が混ぜ合わされた混合物を押し固めたものでもよい。
【００６９】
水ガラスは、黒曜石パーライト同士を接着する接着剤の一例だが、この接着剤としては水ガラス以外のものを用いてもよい。
浄化剤としては、例えば、大矢石、ゼオライト、炭、銅イオン、銀イオンなどが挙げられ、菌、ニオイ、ガス、二酸化炭素、などを殺菌、分解、吸着するものなどを用いるとよい。
【００７０】
このようにすると、通風板３を介して外部に出た冷気に、冷却や冷凍の対象物が触れても対象物が劣化することはない。
すなわち、対象物が食品であった場合、空気中に含まれる雑菌が含まれる場合でも、それらの雑菌の多くが死滅した冷気が食品に当たることとなるので、雑菌によって食品が傷むことを防止できる。
【００７１】
（３）上記実施形態では、氷によって冷気を出す例について説明したが、冷気を出すものとしては氷に限定されるものではなく、例えばドライアイスなどでもよいし、他のものでもよい。
【００７２】
（４）上記実施形態では、通風箱１等から冷気を出す例について説明したが、例えば、通風箱１の内部に熱気を発する物を入れてもよい。熱気を発するものとしては、例えば、焼いた石などを用いてもよい。通風箱１に熱気を発する物（例えば、焼いた石等）を収納すると、通風箱から熱気を長時間出し続けることができる。
【００７３】
（５）本発明の各構成要素は概念的なものであり、上記実施形態に限定されない。例えば、１つの構成要素が有する機能を複数の構成要素に分散させたり、複数の構成要素が有する機能を１つの構成要素に統合したりしてもよい。また、上記実施形態の構成の少なくとも一部を、同様の機能を有する公知の構成に置き換えてもよい。また、上記実施形態の構成の少なくとも一部を、他の上記実施形態の構成に対して付加、置換等してもよい。
【符号の説明】
【００７４】
１… 通風箱  ３… 通風板  ７… 冷蔵庫  １０… 筐体部  １０ａ… 内部空間
１２… 蓋部  １２ａ… 突出部  １４… 水受皿  １６… 水抜具  １６ａ… 孔
１６ｂ… 弁  ４０… 開口部  ４１… ファン  ４５… 収納具  ４６… 皿部
４６ａ… 開口  ４７… 導風管  ４８… 取手  ５０… 台座部  ５１… 脚部
６０… 吸上布  ７０… 冷蔵室部  ７０ａ… 枠  ７０ｂ… 断熱層  ７１… 内部空間
７１ａ… 空間  ７２… サナ  ７３ａ… コック  ７３… 水抜具  ７４… 棚部材
８０… 冷気供給室部  ８０ａ… 内部空間  ８１… 周囲側面部  ８１ａ… 枠
８１ｂ… 断熱層  ８２… 底面部  ８２ｂ… 孔部  ８２ｃ… ツバ  ８２ａ… 椀状部
９０… 蓋部  ９０ａ… 枠  ９０ｂ… 断熱層  ９１… 突出部
【図１】
2016038158.tif 000003
【図２】
2016038158.tif 000004
【図３】
2016038158.tif 000005
【図４】
2016038158.tif 000006
【図５】
2016038158.tif 000007
【図６】
2016038158.tif 000008